(57)【要約】【課題】  ２つにグループ分けされた複数のパートに属する各楽音信号の音量バランスおよび音像定位位置（パン）を、簡単な操作で設定する。【解決手段】  コンピュータ装置は、自動演奏データ中の複数パートの演奏データを左右チャンネルにそれぞれ振り分ける（ステップＳ１２）。この振り分けられた演奏データに基づいて左右チャンネルにてそれぞれ発生される各楽音信号の音量レベルを、１つの操作子の操作位置に応じて同時に決定する（ステップＳ２０）。また、この音量レベルの設定に連動して、左右チャンネルにてそれぞれ発生される各楽音信号の音像定位位置（パン）も、前記１つの操作子の操作位置に応じて決定する（ステップＳ２２〜Ｓ３４）。【選択図】  図２
2005215262.tif 000002
【特許請求の範囲】
【請求項１】
複数パートの演奏データを第１および第２チャンネルに振り分けるチャンネル振り分けステップと、
前記振り分けられた演奏データに基づいて前記第１および第２チャンネルにてそれぞれ発生される各楽音信号の音量レベルを、１つの操作子の操作により同時に決定する音量決定ステップとを含む音量バランス設定用コンピュータプログラム。
【請求項２】
前記音量決定ステップは、前記１つの操作子の操作位置に応じて、前記第１および第２チャンネルにてそれぞれ発生される各楽音信号の音量レベルの比を決定するものである請求項１に記載した音量バランス設定用コンピュータプログラム。
【請求項３】
前記第１および第２チャンネルにてそれぞれ発生される各楽音信号の音像定位位置を、前記音量決定ステップによって決定された各楽音信号の音量レベルに応じて決定する音像定位位置決定ステップを、さらに設けた請求項１または２に記載した音量バランス設定用コンピュータプログラム。
【請求項４】
複数パートの演奏データを第１および第２チャンネルに振り分け、かつ
前記振り分けられた演奏データに基づいて前記第１および第２チャンネルにてそれぞれ発生される各楽音信号の音量レベルを、１つの操作子の操作により同時に決定するようにした音量バランス設定方法。
【請求項５】
複数パートの演奏データを第１および第２チャンネルに振り分けるチャンネル振り分け手段と、
前記振り分けられた演奏データに基づいて前記第１および第２チャンネルにてそれぞれ発生される各楽音信号の音量レベルを、１つの操作子の操作により同時に決定する音量決定手段とを備えた音量バランス設定装置。
【発明の詳細な説明】
【技術分野】
【０００１】
本発明は、演奏データに基づいて第１および第２チャンネルにてそれぞれ発生される各楽音信号の音量レベルのバランスを設定するための音量バランス設定用コンピュータプログラム、音量バランス設定方法および音量バランス設定装置に関する。
【背景技術】
【０００２】
従来から、例えば下記特許文献１に示されているように、演奏データに基づいて発生される楽音信号の音量レベルをパートごとにフェーダで表示することは知られている。また、表示画面上で、この種のフェーダを上下させて各パートごとの楽音信号の音量レベルを調整することも知られている。
【特許文献１】特開平１１−３５２９６３号公報
【０００３】
しかし、上記従来の装置は、楽音信号の音量レベルをパートごとにそれぞれ独立して調整するもので、同装置において複数のパートの音量バランスを設定するためには、各パートごとのフェーダをそれぞれ調整する必要があり、面倒であった。
【発明の開示】
【０００４】
本発明は、上記問題に対処するためになされたもので、２つにグループ分けされた複数のパートに属する各楽音信号の音量バランスを、簡単な操作で設定することが可能な音量バランス設定用コンピュータプログラム、音量バランス設定方法および音量バランス設定装置を提供することにある。
【０００５】
上記目的を達成するために、複数パートの演奏データを第１および第２チャンネルに振り分け、同振り分けられた演奏データに基づいて第１および第２チャンネルにてそれぞれ発生される各楽音信号の音量レベルを、１つの操作子の操作により同時に決定するようにしたことにある。この場合、１つの操作子の操作位置に応じて、第１および第２チャンネルにてそれぞれ発生される各楽音信号の音量レベルの比を決定するようにするとよい。また、この場合の操作子とは、表示画面上に表示された操作子であってもよいし、ユーザによって実際に手動操作される操作子であってもよい。また、第１および第２チャンネルは、例えば、左右一対のスピーカから楽音を発生させるための左右チャンネルである。また、操作子としては、ボタン状の操作子を操作することも可能である。
【０００６】
これによれば、複数パートの演奏データは第１および第２チャンネルに振り分けられ、同振り分けられた演奏データに基づいて第１および第２チャンネルにてそれぞれ発生される各楽音信号の音量レベルが１つの操作子の操作により同時に決定される。したがって、ユーザは、１つの操作子を操作するという簡単かつ直感的な操作により、２つにグループ分けされた複数のパートに属する楽音信号の音量バランスを設定するができるようになる。
【０００７】
また、本発明の他の特徴は、第１および第２チャンネルにてそれぞれ発生される各楽音信号の音像定位位置を、前記決定された各楽音信号の音量レベルに応じて決定するようにしたことにある。これによれば、前記１つの操作子の操作により、第１および第２チャンネルにてそれぞれ発生される各楽音信号の音像定位位置（パン）も自動的に設定され、ユーザは、２つにグループ分けされた複数のパートに属する楽音信号の音像定位位置をも簡単に設定できるようになる。
【発明を実施するための最良の形態】
【０００８】
以下、本発明の一実施形態に係る音量バランス設定用コンピュータプログラム、音量バランス設定方法および音量バランス設定装置の適用される電子音楽装置について説明する。図１は、この電子音楽装置を概略的に示すブロック図である。この電子音楽装置としては、鍵盤型電子楽器、非鍵盤型電子楽器（タッチプレート、押しボタン、弦などを演奏操作子として有する電子楽器）、自動演奏装置（シーケンサ装置）、自動演奏機能を有するパーソナルコンピュータなどが考えられる。
【０００９】
この電子音楽装置は、入力操作子群１１、表示器１２および楽音信号発生回路１３を有する。入力操作子群１１は、この電子音楽装置の動作を指示するための複数の操作子からなり、これらの複数の操作子の操作はバス２０に接続された検出回路１４によって検出される。なお、これらの複数の操作子は、スイッチ操作子、ボリューム操作子、マウス、カーソル移動キーなどを含んでおり、鍵盤型電子楽器においては白鍵および黒鍵も含む。表示器１２は、液晶ディスプレイ、ＣＲＴなどで構成され、文字、数字、図形などを表示する。この表示器１２の表示態様は、バス２０に接続された表示制御回路１５によって制御される。
【００１０】
楽音信号発生回路１３は、バス２０に接続されていて後述するＣＰＵ３１の制御のもとに供給される演奏データに基づいて楽音信号を形成するとともに、同形成された楽音信号に効果を付与してアンプ１６ａ，１６ｂを介して左右チャンネル用のスピーカ１７ａ，１７ｂにそれぞれ出力する。特に、楽音信号発生回路１３は、各パート（各音源チャンネル）ごとに生成される楽音信号をアンプ１６ａ，１６ｂにそれぞれ出力する際、左右チャンネルの各楽音信号の音量レベルを、ＣＰＵ３１から供給される各パート（各音源チャンネル）ごとに指定される音量制御データおよびパン制御データにより制御してアンプ１６ａ，１６ｂにそれぞれ出力する。
【００１１】
また、この電子音楽装置は、バス２０にそれぞれ接続されていてマイクロコンピュータ本体部を構成するＣＰＵ３１、タイマ３２、ＲＯＭ３３、ＲＡＭ３４を備えているとともに、外部記憶装置３５および通信インターフェース回路３６も備えている。外部記憶装置３５は、この電子音楽装置に予め組み込まれているハードディスクＨＤ、同電子音楽装置に装着可能なコンパクトディスクＣＤ、フレキシブルディスクＦＤなどの種々の記録媒体と、同各記録媒体に対するドライブユニットを含むものであり、大量のデータ及びプログラムを記憶及び読み出し可能にしている。本実施形態の場合、ハードディスクＨＤには、図２のバランス設定プログラム、自動演奏データを再生するための図示しない自動演奏プログラムを含む各種プログラムに加え、複数の楽曲にそれぞれ対応した自動演奏データが記憶されている。これらのプログラムおよび自動演奏データは、予めハードディスクＨＤに記憶されていたり、コンパクトディスクＣＤ、フレキシブルディスクＦＤなどからハードディスクＨＤに供給されたり、後述する外部機器４１又は通信ネットワーク４２を介した外部からハードディスクＨＤに供給されるものである。
【００１２】
次に、上記のように構成した実施形態の動作を説明する。ユーザは、入力操作子群１１を操作して、所望の楽曲を選択するとともに、外部記憶装置３５に記憶されている前記選択楽曲に対応した自動演奏データを再生させる。この楽曲の選択および自動演奏データの再生は、図示しない自動演奏プログラムの実行によって実現される。また、ユーザが所望とする楽曲の自動演奏データが外部記憶装置３５に記憶されていない場合には、通信インターフェース回路３６を介して他の自動演奏データを記憶した外部機器４１から所望の自動演奏データを読み込み、または通信インターフェース回路３６および通信ネットワーク４２を介して外部から所望の自動演奏データを読み込むようにするとよい。
【００１３】
前記自動演奏プログラムの実行中、ユーザが入力操作子群１１を操作して図２のバランス設定プログラムを実行させると、同プログラムの実行はステップＳ１０にて開始される。このプログラムの実行開始後、ＣＰＵ３１は、ステップＳ１２にてチャンネル設定処理を実行する。このチャンネル設定処理は、左右のチャンネルに自動演奏データ中の複数パートの演奏データを振り分けることを意味する。例えば、自動演奏データ中のチャンネル１（パート１）にピアノ演奏における伴奏用の演奏データ（すなわち左手演奏データ）が記憶されているとともに、チャンネル２（パート２）に同ピアノ演奏におけるメロディ用の演奏データ（すなわち右手演奏データ）が記憶されている場合、ユーザは、表示器１２における表示指示に従って入力操作子群１１を操作することにより、自動演奏データ中のチャンネル１，２の演奏データを左右チャンネルへ振り分けることを指示する。これにより、自動演奏データ中のチャンネル１，２の各演奏データ、すなわち左手演奏データおよび右手演奏データは、左右チャンネルにそれぞれ割り当てられる。また、自動演奏データ中の複数チャンネル（例えば、１６チャンネル）に複数の異なる種類の楽器群（すなわち複数の異なるパート）に関する演奏データがそれぞれ記憶されている場合には、これらの楽器群を２グループに振り分けて左右チャンネルに割り当てるようにしてもよい。
【００１４】
次に、ステップＳ１４にて、左右チャンネルにそれぞれ割り当てられた演奏データによる楽音信号の各音量および各パン（すなわち音像定位位置）をそれぞれ制御するための各音量制御データおよび各パン制御データを初期設定する。以下、これらの各音量および各パンを、単に左右チャンネルの各音量および各パンという。左右チャンネルの各音量制御データは「０」〜「１２７」の範囲内の値によりそれぞれ表されるが、それらの合計値は最大音量を表す所定値（例えば、「１２７（または１２８）」）に予め決められている。左右チャンネルの各パン制御データは、「０」から「１２７」により左スピーカ１７ａ位置から右スピーカ１７ｂ位置までの各位置を線形的に表し、「６４」により左右スピーカ１７ａ，１７ｂの中央位置を表すように決められている。そして、この左右チャンネルの各音量制御データの初期設定においては、左右チャンネルの各音量が等しくなるように、左右チャンネルの各音量制御データはそれぞれ「６４」に設定される。また、この左右チャンネルの各パン制御データの初期設定においては、左右チャンネルの各パンが共に左右スピーカ１７ａ，１７ｂの中央位置になるように、左右チャンネルの各パン制御データはそれぞれ「６４」に設定される。
【００１５】
次に、ＣＰＵ３１は、ステップＳ１６にて表示器１２に音量バランス設定用の画面を表示する。この表示画面は、図３の上部に示すように、左右チャンネルおよび左右スピーカの表示位置間を移動可能なバランス設定操作子１２ａを表示している。このバランス設定操作子１２ａは、入力操作子群１１内に含まれるマウス、カーソル移動キーなどの操作子によって移動される。音量バランス設定用の画面の表示後、ステップＳ１８にてバランス設定操作子１２ａが操作された否かを判定する。なお、このバランス設定操作子１２ａの操作とは、表示画面上のバランス設定操作子１２ａが移動されたことを意味する。
【００１６】
バランス設定操作子１２ａが操作されなければ、ステップＳ１８にて「Ｎｏ」と判定して、ステップＳ４０にて音量バランスの設定が終了したかを判定する。この音量バランスの設定終了は、ユーザによって音量バランスの設定の終了が指示されたか、ユーザによって別の設定操作が選択されたかにより判定される。音量バランスの設定が終了されなければ、ステップＳ１８に戻る。バランス設定操作子１２ａが操作されると、ステップＳ１８にて「Ｙｅｓ」と判定してステップＳ２０以降の処理を実行する。
【００１７】
ステップＳ２０においては、バランス設定操作子１２ａの位置により左右チャンネルの各音量を決定する。具体的には、バランス設定操作子１２ａの位置が左（図示左チャンネル位置）から右（図示右チャンネル位置）に移動するに従って、左チャンネルの音量制御データは「１２７」から「０」に線形的に変化し、右チャンネルの音量制御データは「０」から「１２７」に線形的に変化し、かつ各音量制御データの合計値は「１２７」になるように設定される。図３の中央部に、バランス設定操作子１２ａが左端にある状態、左端から２０％だけ右にある状態、中央位置にある状態、右端から２０％だけ左にある状態、および右端にある状態における、左右チャンネルの各音量の比および各音量制御データの具体的数値例をそれぞれ示している。
【００１８】
次に、ステップＳ２２にてバランス設定操作子１２ａが中央に位置しているかを判定するとともに、ステップＳ２４にてバランス設定操作子１２ａが中央よりも左側に位置しているかを判定する。バランス設定操作子１２ａが中央に位置していれば、ステップＳ２６にて、左右チャンネルの各パンを共に中央に決定する。具体的には、左右チャンネルの各パン制御データを共に「６４」に設定する。
【００１９】
バランス設定操作子１２ａが中央よりも左側に位置していれば、ステップＳ２８にて、バランス設定操作子１２ａの中央からの偏りの程度に応じて左チャンネルのパンを決定する。具体的には、左チャンネルのパン制御データを「０」から「６４」までの変化範囲で左端から中央までのバランス設定操作子１２ａの位置に比例した値に設定する。例えば、バランス設定操作子１２ａが左端に位置していれば、左チャンネルのパン制御データは「０」に設定される。バランス設定操作子１２ａが中央から６０％左側（図３におけるバランス設定操作子１２ａの図示位置）に位置していれば、左チャンネルのパン制御データは「２６＝６４×０．４」に設定される。前記ステップＳ２８の処理後、ステップＳ３０にて、中央位置に対して、左チャンネルのパンと対称になるように右チャンネルのパンを決定する。具体的には、右チャンネルのパン制御データは、「１２７」から左チャンネルのパン制御データの値を減算した値に設定される。
【００２０】
バランス設定操作子１２ａが中央よりも右側に位置していれば、ステップＳ３２にて、バランス設定操作子１２ａの中央からの偏りの程度に応じて右チャンネルのパンを決定する。具体的には、右チャンネルのパン制御データを「１２７」から「６４」までの変化範囲で右端から中央までのバランス設定操作子１２ａの位置に比例した値に設定する。例えば、バランス設定操作子１２ａが右端に位置していれば、右チャンネルのパン制御データは「１２７」に設定される。バランス設定操作子１２ａが中央から６０％右（図３におけるバランス設定操作子１２ａの対象位置）に位置していれば、右チャンネルのパン制御データは「１０１」に設定される。前記ステップＳ３２の処理後、ステップＳ３４にて、中央位置に対して、右チャンネルのパンと対称になるように左チャンネルのパンを決定する。具体的には、左チャンネルのパン制御データは、「１２７」から右チャンネルのパン制御データの値を減算した値に設定される。図３の下部に、これらのパン制御データの具体的数値例を示している。
【００２１】
前記ステップＳ２６，Ｓ３０，Ｓ３４のパン制御データの設定後、ステップＳ３６にて自動演奏プログラムの実行中であるかを判定する。なお、この自動演奏プログラムの実行中には、演奏データの再生中ばかりか、自動演奏データの選択中のような演奏データの再生準備のための期間も含む。自動演奏プログラムの実行中であれば、ステップＳ３８にて前記設定した左右チャンネルの各音量制御データおよび各パン制御データを楽音信号発生回路１３に出力する。この場合、各音量制御データおよび各パン制御データは、左右チャンネルにそれぞれ割り当てられている自動演奏データ中のチャンネル番号に対応させて、すなわちチャンネル番号と共に出力される。具体的には、自動演奏データ中のチャンネル１（パート１）が左チャンネルに割り当てられているとともに、自動演奏データ中のチャンネル２（パート２）が右チャンネルに割り当てられていれば、チャンネル１に関する音量制御データおよびパン制御データとして前記設定された左チャンネルの音量制御データおよびパン制御データが楽音信号発生回路１３に出力されるとともに、チャンネル２に関する音量制御データおよびパン制御データとして前記設定された右チャンネルの音量制御データおよびパン制御データが楽音信号発生回路１３に出力される。また、左または右チャンネルに自動演奏データ中の複数のチャンネル（複数のパート）の演奏データが割り当てられている場合には、複数のチャンネル数分だけ、左または右チャンネルの音量制御データおよびパン制御データが楽音信号発生回路１３に出力される。
【００２２】
一方、前記ステップＳ２６，Ｓ３０，Ｓ３４のパン制御データの設定後、自動演奏プログラムの実行中でなければ、ステップＳ３６に「Ｎｏ」と判定してステップＳ４０に進む。そして、音量バランスの設定終了が判定されるまでステップＳ１８以降の処理を実行し、音量バランスの設定終了が判定された時点でステップＳ４２にてこのバランス設定プログラムの実行を終了する。
【００２３】
楽音信号発生回路１３においては、前記のようにして供給された左右チャンネルの各音量制御データおよび各パン制御データを用いて、自動演奏データの再生により生成された楽音信号の音量が制御される。自動演奏データは複数のチャンネル（複数のパート）ごとに演奏データを時系列記憶したもので、自動演奏データの再生においては、演奏データが、複数のチャンネル（複数のパート）をそれぞれ表すチャンネル番号と共に楽音信号発生回路１３に出力される。そして、楽音信号発生回路１３は、このチャンネル番号によって表されたチャンネルごとに楽音信号を生成し、この生成した楽音信号の音量を音量制御データおよびパン制御データに応じて制御してアンプ１６ａ，１６ｂを介してスピーカ１７ａ，１７ｂに出力する。
【００２４】
この楽音信号の音量制御においては、左右チャンネルの各音量制御データおよび各パン制御データは前述のようにチャンネル番号と共に供給されているので、チャンネルごとに生成され楽音信号の音量を左右チャンネルの各音量制御データに応じて制御する。また、前記音量制御データによって制御された音量の楽音信号の左右スピーカ１７ａ，１７ｂに対する各配分量を、前記供給された左右チャンネルの各パン制御データに応じて制御してアンプ１６ａ，１６ｂにそれぞれ出力する。
【００２５】
上記作動説明からも理解できるように、上記実施形態によれば、ステップＳ１２の処理により、自動演奏データ中の複数パート（複数チャンネル）の演奏データは左右チャンネルのいずれかに振り分けられる。また、ステップＳ２０の処理により左右チャンネルの各音量がバランス設定操作子１２ａの操作位置に応じて決定されるとともに、ステップＳ２２〜Ｓ３４の処理により左右チャンネルの各パン（各音像定位位置）が同バランス設定操作子１２ａの操作位置に応じて決定される。そして、楽音信号発生回路１３は、ステップＳ３８の処理によって供給される左右チャンネルの各音量および各パンをそれぞれ表す各音量制御データおよび各パン制御データを用い、左右チャンネルに振り分けられた演奏データに基づいて発生される各楽音信号の音量レベルおよびパン（音像定位位置）を制御する。したがって、ユーザは、１つのバランス設定操作子を操作するという簡単かつ直感的な操作により、２つにグループ分けられた複数のパートに属する楽音信号の音量バランスおよびパン（音像定位位置）を設定するができるようになる。
【００２６】
例えば、ピアノの演奏練習において、ユーザは、左手または右手用の演奏データの再生による左手または右手用の自動演奏音を主にまたは同自動演奏音のみを聞きながら、右手または左手の演奏練習を行うことができる。また、この自動演奏音の音像定位位置（パン）も適当に設定されるので、より効果的な演奏練習が可能になる。
【００２７】
さらに、本発明の実施にあたっては、上記実施形態及びその変形例に限定されるものではなく、本発明の目的を逸脱しない限りにおいて種々の変更が可能である。
【００２８】
例えば、上記実施形態においては、チャンネル番号を用いて自動演奏データ中の複数パートの演奏データを左右チャンネルに振り分けるようにしたが、音色を表す情報を用いて複数パートの演奏データを左右チャンネルに振り分けるようにしてもよい。また、特定のフォーマットの自動演奏データ中にはパート識別情報も含まれており、この場合には、このパート識別情報を用いて左右チャンネルへの振り分けを行うようにしてもよい。
【００２９】
また、上記実施形態においては、左右チャンネルの各音量の比が５対５の場合には左右チャンネルの各音量制御データが共に「６４」になり、同各音量の比が６対４の場合には左右チャンネルの各音量制御データが「７６」および「５１」にそれぞれなり、同各音量の比が１０対０の場合には左右チャンネルの各音量制御データが「１２７」および「０」にそれぞれなるように、各音量制御データの合計値がほぼ「１２７」になるようにした。しかし、これに代えて、ＭＩＤＩ規格では左右一方のチャンネルごとに音量制御データとして「０」〜「１２７」の範囲内の値を取り得るので、例えば、左右チャンネルの各音量の比が５対５の場合には左右チャンネルの各音量制御データが共に「１００」となり、同各音量の比が６対４の場合には左右チャンネルの各音量制御データが「１２０」および「８０」にそれぞれなるようにすることもできる。ただし、ＭＩＤＩ規格の場合における音量制御データの最大値は「１２７」であるので、左右チャンネルの各音量の比が８対２の場合には左右チャンネルの各音量制御データが「１２７」および「３２」のように、大きい方の音量制御データを「１２７」に制限し、他方の音量制御データを同各音量の比に対応させて「３２」とするとよい。
【００３０】
また、上記実施形態においては、パン制御データ値もバランス設定操作子１２ａの位置に応じて線形的に変化させるようにした。すなわち、左右チャンネルの各音量の比が１２７対０である場合には、音像定位位置（パン）を左スピーカ１７ａ位置にするようにした。しかし、これに代えて、左右チャンネルの各音量に大きな差がある場合には、音像定位位置（パン）を中央寄りにするように、パン制御データ値をバランス設定操作子１２ａの位置に応じて非線形変化させるようにしてもよい。
【００３１】
また、上記実施形態においては、表示画面上でバランス設定操作子１２ａを直線的に移動するようにした。しかし、これに代えて、バランス設定操作子１２ａを円形状に移動させるようにしてもよい。また、表示画面上でなく、ユーザの手動操作により直線変位または回転する操作子を利用することもできる。さらに、ボタン状の操作子を用いて、同操作子を操作するごとに左右チャンネルの各音量の比が所定値ずつ、例えば、１０対０、９対１、８対２などと順次変化するようにしてもよい。または、ボタン状の操作子を操作する毎に左右チャンネルの各音量制御データが、「１２７」および「１２７」、「１００」および「１２７」、「１２７」および「１００」、「６４」および「１２７」、「１２７」および「６４」などと、左右チャンネルの音量が同じか、左右チャンネルの各音量の差が聴感上容易に認識できる値を提供するようにしてもよい。また、このボタン状の操作子の場合も、表示画面上の操作子でも、手動操作によって実際に操作される操作子であってもよい。さらに、これらの左右チャンネルの各音量の変化に連動させて、パン制御データも変更する点は上記実施形態と同じである。
【図面の簡単な説明】
【００３２】
【図１】本発明の一実施形態に係る電子音楽装置の全体ブロック図である。
【図２】前記電子音楽装置にて実行されるバランス設定プログラムを示すフローチャートである。
【図３】表示器におけるバランス設定操作子の表示例と、同表示例に対応させた左右チャンネルの楽音信号の音量およびパンの制御状態とを説明するための図である。
【符号の説明】
【００３３】
１１…入力操作子群、１２…表示器、１２ａ…バランス設定操作子、１３…楽音信号発生回路、１７ａ，１７ｂ…スピーカ。３１…ＣＰＵ，３３…ＲＯＭ，３４…ＲＡＭ、３５…外部記憶装置、３６…通信インターフェース回路
【図１】
2005215262.tif 000003
【図２】
2005215262.tif 000004
【図３】
2005215262.tif 000005